(57)【要約】【課題】本発明は、上記の問題に鑑み、中空の水密シール、エァーポンプ、圧力検知装置を用いることなく、簡単で安価に水密のシールができる食器洗い乾燥機を提供することを目的とする。【解決手段】本発明は、外枠と、基台枠に載置されて前記外枠に水平方向に出し入れされ、食器類の出し入れをする開口が上側に設けられている洗浄槽と、前記外枠の内側上方に設けられ、前記開口を閉鎖する内蓋とを有し、前記洗浄槽が前記外枠内に入れられた際に、前記開口が前記内蓋で閉鎖されるように前記洗浄槽を上側に上昇させ、前記洗浄槽を前記外枠内から外に出す際には前記閉鎖が解かれるように前記洗浄槽を降下させる昇降手段を設けたことを特徴とする。【選択図】図４
2006305078.tif 000002
【特許請求の範囲】
【請求項１】
外枠と、基台枠に載置されて前記外枠に水平方向に出し入れされ、食器類の出し入れをする開口が上側に設けられている洗浄槽と、前記外枠の内側上方に設けられ、前記開口を閉鎖する内蓋とを有し、
前記洗浄槽が前記外枠内に入れられた際に、前記開口が前記内蓋で閉鎖されるように前記洗浄槽を上側に上昇させ、前記洗浄槽を前記外枠内から外に出す際には前記閉鎖が解かれるように前記洗浄槽を降下させる昇降手段を設けたことを特徴とする食器洗い乾燥機。
【請求項２】
請求項１記載の食器洗い乾燥機において、
前記昇降手段を前記基台枠に設けたことを特徴とする食器洗い乾燥機。
【請求項３】
請求項１記載の食器洗い乾燥機において、
前記洗浄槽の上下移動を案内する上下移動案内手段を設けたことを特徴とする食器洗い乾燥機。
【請求項４】
請求項１記載の食器洗い乾燥機において、
前記開口の周縁と前記内蓋との間に介在される水密シールを有することを特徴とする食器洗い乾燥機。
【請求項５】
請求項４記載の食器洗い乾燥機において、
前記水密シールは前記内蓋に取り付け支持され、
前記洗浄槽の上端には、前記内蓋の外周が嵌る立上縁部を設けたことを特徴とする食器洗い乾燥機。
【請求項６】
請求項１〜５のいずれかに記載された食器洗い乾燥機において、
洗浄槽を載置する基台枠に横行移動自在に支持する横行移動レールを外枠に設けたことを特徴とする食器洗い乾燥機。
【請求項７】
請求項１〜６のいずれかに記載された食器洗い乾燥機において、
昇降手段は、昇降用電動機と、前記昇降用電動機の駆動により回転し、かつ前記洗浄槽に上げ下げする力を付与する昇降用カム体とを有することを特徴とする食器洗い乾燥機。
【請求項８】
請求項１〜６のいずれかに記載された食器洗い乾燥機において、
昇降手段は、前記基台枠に摺動自在に設けた摺動ラック体と、前記基台枠に設けた昇降用電動機と、前記昇降用電動機により回されるウォームギアと、前記基台枠に設けた支持部材と、前記ウォームギアと噛み合って回るウォームホイールと、前記摺動ラック体のラックと噛み合い、かつ前記ウォームホイールの回転で回されて前記摺動ラック体に摺動移動力を付与するピニオンと、前記支持部材に回転自在に支持され、前記ラックと噛み合い、かつ前記摺動ラック体の摺動移動にともなって回る駆動歯車と、前記駆動歯車に設けられ、かつ駆動歯車の回転で回されて前記洗浄槽に上げ下げする力を付与する昇降用カム体とを有することを特徴とする食器洗い乾燥機。
【請求項９】
請求項１〜６のいずれかに記載された食器洗い乾燥機において、
昇降手段は、昇降用電動機と、前記昇降用電動機の駆動により作動し、かつ前記洗浄槽に上げ下げする力を付与するリンク機構とを有することを特徴とする食器洗い乾燥機。
【請求項１０】
請求項１〜６のいずれかに記載された食器洗い乾燥機において、
昇降手段は、交差点で回動自在に連結される複数のリンクアームにより構成されるリンク機構と、前記リンク機構にネジ連結され、回転によってリンク機構を上下作動させる回転軸と、前記回転軸を回す昇降用電動機とを有することを特徴とする食器洗い乾燥機。
【請求項１１】
請求項１〜１０のいずれかに記載された食器洗い乾燥機において、
前記洗浄槽の上昇位置を検知する上昇位置検知手段と、前記洗浄槽の降下位置を検知する降下位置検知手段と、前記上昇位置検知手段の検知信号、および前記降下位置検知手段の検知信号に基づいて前記洗浄槽の上昇動作、および降下動作を停止制御する制御手段とを有することを特徴とする食器洗い乾燥機。
【請求項１２】
請求項１１記載の食器洗い乾燥機において、
前記洗浄槽が前記外枠内に収納されたことを検知する収納検知手段と、前記収納検知手段の検知信号に基づいて前記洗浄槽を上昇させるように前記昇降用電動機を制御する制御手段とを有することを特徴とする食器洗い乾燥機。
【発明の詳細な説明】
【技術分野】
【０００１】
本発明は、食器類を洗浄して乾燥する食器洗い乾燥機に関し、特に洗浄槽と内蓋との水密シールに関するものである。
【背景技術】
【０００２】
食器洗い乾燥機は、例えば、特開２００３−１８０６０５号公報（特許文献１）に記載されている。
【０００３】
特許文献１に示される食器洗い乾燥機は、図１１、および図１２に示すように、外枠１００と、外枠１００に水平方向に出し入され、食器類の出し入れをする開口が上側に設けられている洗浄槽（図示せず）と、外枠１００の内側上方に設けられ、開口を閉鎖する内蓋１０１と、内蓋１０１に設けた中空の水密シール１０２とを有する。
【０００４】
そして、洗浄槽が外枠１００内に収納されてからエァーポンプ１０３で中空の水密シール１０２を膨らませて洗浄槽との水密を保つようにしている。
【０００５】
【特許文献１】特開２００３−１８０６０５号公報
【発明の開示】
【発明が解決しようとする課題】
【０００６】
上記従来の食器洗い乾燥機は、中空の水密シールを膨張させるエァーポンプを必要とする。また中空の水密シールは、膨張や収縮を繰り返すため、耐久性や気密性に優れた水密シールを用いるので高価になる。
【０００７】
さらに、洗浄中やチャイルドロック中は中空の水密シールを一定圧力で保持する必要があり、常に圧力を検知しながら気密性を保持しつづけなければならないため、複雑で高価になる。
【０００８】
本発明は、上記の問題に鑑み、中空の水密シール、エァーポンプ、圧力検知装置を用いることなく、簡単で安価に水密のシールができる食器洗い乾燥機を提供することを目的とする。
【課題を解決するための手段】
【０００９】
本発明は、外枠と、基台枠に載置されて前記外枠に水平方向に出し入され、食器類の出し入れをする開口が上側に設けられている洗浄槽と、前記外枠の内側上方に設けられ、前記開口を閉鎖する内蓋とを有し、前記洗浄槽が前記外枠内に入れられた際に、前記開口が前記内蓋で閉鎖されるように前記洗浄槽を上側に上昇させ、前記洗浄槽を前記外枠内から外に出す際には前記閉鎖が解かれるように前記洗浄槽を降下させる昇降手段を設けたことを特徴とする。
【発明の効果】
【００１０】
本発明によれば、洗浄槽が前記外枠内に入れられた際に、洗浄槽を上昇させて内蓋に突き当て、洗浄槽の開口を閉鎖するので、膨張／収縮する中空の水密シール、エァーポンプ、圧力検知装置等が不要になる。簡単で安価な食器洗い乾燥機を提供することができる。
【発明を実施するための最良の形態】
【００１１】
本発明の実施例について図面を引用して説明する。
【００１２】
まず、図１〜図６に示す実施例（第１実施例）について説明する。
【００１３】
外枠１に洗浄槽２が、水平方向に出し入自在に収納される。基台枠３に載置されて洗浄槽２は外枠１に出し入される。基台枠３は、外枠１の内底両側に設けた横行移動レール４に横行移動自在に支持される。
【００１４】
洗浄槽２は、食器類が出し入れされる開口５を上側に有する。洗浄槽２の前面に設けられる前側パネル６は、洗い乾燥機の運転を操作する操作ボタン（図示せず）、食器洗い乾燥機の運転を制御する制御手段（図示せず）等が設けられる。
【００１５】
外枠１は、内側上方に内蓋７を有する。内蓋７は、洗浄槽２に合わさると、開口５を閉鎖する蓋になる。内蓋７は、外枠１の天井に緩衝バネ８を介して支持されるので、洗浄槽２の上端と全体に亘り隙間なく合うようになる。このため、内蓋７による開口５の閉鎖が良く行なわれる。
【００１６】
なお、内蓋は、外枠１の天井を利用して形成することもできる。
【００１７】
水密シール９は、図６に示すように内蓋７に設けられる。この水密シール９は、洗浄槽２の開口の周縁である上端面に接合する。この水密シール９により、内蓋７による開口５の閉鎖は、密閉がより良くなる。洗浄水や乾燥時の蒸気は、水密シール９の密閉により、洗浄槽２の外に漏れない。
【００１８】
水密シール９は、内蓋７の内面側に設けたシール保持溝１０に嵌って保持される。シール保持溝１０は、水密シール９と同様に環状に形成されている。シール保持溝１０は、内蓋７の内面に垂下する二枚の壁板１１にて形成される。
【００１９】
水密シール９は、頭部にあたる下端が壁板１１の下端から突出している。ゴム製の水密シール９は、撓み易いように中間外周にくびれ溝１２を有する。
【００２０】
水密シール９は、上端側に取り付け部１３を有する。この取り付け部１３がシール保持溝１０の奥天井側に設けた支持溝１４に嵌って、水密シール９は、内蓋７に止められる。取り付け部１３に内外周側に多段の鋸形が形成されているので、取り付け部１３は支持溝１４に容易に抜けないように嵌る。
【００２１】
洗浄槽２の上端には、内蓋７の外周が嵌る立上縁部１５を有する。この立上縁部１５は、水密シール９の頭部が突き当たる開口５の周縁を形成する平坦部１６の外周側に設けられる。
【００２２】
開口５が内蓋７で閉鎖される際に、図６に示すように、外周側に位置する前記壁板１１が立上縁部１５の内周に嵌る。内蓋７の外周側の壁板１１が立上縁部１５の内周に嵌った状態では内蓋７が洗浄槽２の引き出し動作を拘束するようになるので、洗浄槽２を外枠１から引き出すことはできない。
【００２３】
昇降手段について説明する。
【００２４】
昇降手段は基台枠３に設けられ、洗浄槽２を上げ下げする。
【００２５】
昇降手段は、基台枠３に摺動自在に設けた摺動ラック体１７と、基台枠３に設けた昇降用電動機１８と、昇降用電動機１８により回されるウォームギア１９と、基台枠３に設けた支持部材２０と、ウォームギア１９と噛み合って回るウォームホイール２１を有する。
【００２６】
また、昇降手段は、摺動ラック体１７のラックと噛み合い、かつウォームホイール２１の回転で回されて摺動ラック体１７に摺動移動力を付与するピニオン２２を有する。
【００２７】
さらに、昇降手段は、支持部材２０に回転自在に支持され、ラックと噛み合い、かつ摺動ラック体１７の摺動移動にともなって回る駆動歯車２３と、駆動歯車２３に設けられ、かつ駆動歯車２３の回転で回されて洗浄槽２に上げ下げする力を付与する昇降用カム体２４とを有する。
【００２８】
昇降用電動機１８と、支持部材２０は基台枠３に固定されている。ウォームホイール２１と、二つのピニオン２２は支持回転軸２５に固定支持される。ウォームホイール２１は、二つのピニオン２２の中間に置かれる。
【００２９】
支持回転軸２５は支持部材２０に回転自在に支持される。ピニオン２２の支持回転軸２５が基台枠３に固定されている支持部材２０は支持されているので、ピニオン２２の回転により、摺動ラック体１７は移動するのである。
【００３０】
二つの駆動歯車２３は、駆動支持回転軸２６の両端側に固定支持される。駆動支持回転軸２６は、支持部材２０に回転自在に支持される。駆動支持回転軸２６が二本置かれるので、駆動歯車２３は４個備えられる。
【００３１】
基台枠３に固定されている支持部材２０に駆動歯車２３の駆動支持回転軸２６が回転自在に支持されているので、摺動ラック体１７の移動にともない駆動歯車２３は回転する。
【００３２】
駆動歯車２３に設けられた略楕円形の昇降用カム体２４は、外周が洗浄槽２の外側下端に摺動自在に当接されている。駆動歯車２３の回転にともない、昇降用カム体２４の山部２７が図４に示すように立ち上がったり、図３に示すように横になったりするように昇降用カム体２４は回動する。
【００３３】
この昇降用カム体２４の回動により、洗浄槽２は昇降用カム体２４によって上げ下げが行なわれる。
【００３４】
なお、ラック体側を基台枠３に固定し、駆動歯車２３と昇降用カム体２４が摺動しながら回転する構成にしても昇降用カム体２４による洗浄槽２の上げ下げは行なわれる。この構成は、駆動歯車２３と昇降用カム体２４が前後方向に移動する。昇降用カム体２４により押される洗浄槽２の押圧個所があるため、洗浄槽２の上げ下げ動作が不安定になる。
【００３５】
これに対し、駆動歯車２３と昇降用カム体２４を移動させずに回転させる構成が、安定した洗浄槽２の上げ下げ動作が期待できる。
【００３６】
上下移動案内手段について説明する。
【００３７】
上下移動案内レール２８は、基台枠３の側壁２９の内面に設けられる。側壁２９の前後に設けるので、全部で４本の上下移動案内レール２８が設けられる。摺動突起２９は、洗浄槽２の外側面に設けられる。この摺動突起２９が上下移動案内レール２８の溝内に摺動自在に嵌る。
【００３８】
洗浄槽２は、摺動突起２９と上下移動案内レール２８に案内されて上下移動するので、前後にふらつくことなく安定した上下移動が行なわれる。
【００３９】
さて、洗浄槽２の上げ下げは、外枠１内に収納されている洗浄槽２が出し入れする際に行なわれる。
【００４０】
洗浄槽２が図３に示すように外枠１内に収納されてから、昇降用電動機１８を上げ方向に駆動することにより、図４に示すように昇降用カム体２４で押し上げられる。そして、洗浄槽２の開口５が内蓋７で閉鎖される。
【００４１】
内蓋７の閉鎖により、内蓋７の外周側の壁板１１が立上縁部１５の内周に嵌まるので、食器洗い乾燥機の運転を洗浄槽２が外枠１から引き出されないように拘束される。食器洗い乾燥機の運転中に洗浄槽２が、不用意に引き出されることは防止されるので安全である。
【００４２】
洗浄槽２を外枠１から出す際には、昇降用電動機１８を下げ方向に駆動することにより、山部２７が横になるよう昇降用カム体２４が回動し、洗浄槽２は自重で自然に降下する。
【００４３】
洗浄槽２の開口５の閉鎖が解かれて内蓋７が離れるので、洗浄槽２は図２に示すように外枠１から引き出すことができる。
【００４４】
このように、洗浄槽２の開口５を閉鎖する内蓋７との接離は、洗浄槽２を上げ下げする昇降作動により行なわれるので、従来のような中空の水密シール、エァーポンプ、圧力検知装置を設ける必要がなく、構成が簡単で安価なる食器洗い乾燥機を提供することができる。
【００４５】
また、内蓋７の水密性を高める水密シール９は、エァーポンプで膨張・圧縮させる中空の水密シールではないので安価で、耐久性がある。
【００４６】
昇降用電動機の自動運転について説明する。
【００４７】
図２に示すように収容検知スイッチ３０（収容検知手段）が外枠１の内部に設けられている。また、図３に示す上昇位置検知スイッチ３１（上昇位置検知手段）、降下位置検知スイッチ３２（降下位置検知手段）が外枠１の内部に設けられている。
【００４８】
収容検知スイッチ３０（収容検知手段）、上昇位置検知スイッチ３１（上昇位置検知手段）、降下位置検知スイッチ３２（降下位置検知手段）の検知信号に基づいて、昇降用電動機１８を上昇動作、降下動作、および停止させる制御が前側パネル６に設けられている制御装置（制御手段）によって行なわれる。
【００４９】
すなわち、洗浄槽２が外枠１の奥まで押し込んで収納されると、収容検知スイッチ３０が作動して検知信号が出される。制御装置は、収容検知スイッチ３０の検知信号を読んで、昇降用電動機１８に上昇動作の運転を指示する。
【００５０】
昇降用電動機１８の上昇運転で洗浄槽２が上昇し、内蓋７による洗浄槽２の開口５の閉鎖が完了するところまで洗浄槽２が上がると、上昇位置検知スイッチ３１が作動する。制御装置は、上昇位置検知スイッチ３１の検知信号を読んで、昇降用電動機１８を停止するように指示し、昇降用電動機１８は停止する。この後に食器洗い乾燥機の洗浄・乾燥の運転が行なわれる。
【００５１】
食器洗い乾燥機の洗浄・乾燥の運転が終了したら、洗浄槽２を降下させる。この下降動作の指示は、前側パネル６に設けられて操作ボタンを操作して行なう。なお、食器洗い乾燥機の洗浄・乾燥の運転が終了したら、自動的に下降動作の指示が行なわれるように制御装置にプログラムをしておくことも可能である。
【００５２】
操作ボタンによる下降動作の指示により、制御装置は昇降用電動機１８に降下作動を促す。昇降用電動機１８の下降運転で洗浄槽２が降下し、内蓋７による洗浄槽２の開口５の閉鎖が解かれたところまで洗浄槽２が下がると、降下位置検知スイッチ３２が作動する。制御装置は、降下位置検知スイッチ３２の検知信号を読んで、昇降用電動機１８を停止するように指示し、昇降用電動機１８は停止する。この後、洗浄槽２を引くことにより、洗浄槽２は外枠１から引き出される。
【００５３】
このように収容検知スイッチ３０（収容検知手段）、上昇位置検知スイッチ３１（上昇位置検知手段）、降下位置検知スイッチ３２（降下位置検知手段）、制御装置（制御手段）を設けることにより、洗浄槽２の上げ下げが自動的に行なわれるので、使い勝手の良い
食器洗い乾燥機を提供できる。
【００５４】
また、洗浄槽２には、内部の温度を温度検知手段５５が設けられている。洗浄・乾燥の運転が終了後、洗浄槽２の内部の温度が所定温度まで低下すると、制御装置は温度検知手段５５の検知信号を読んで昇降用電動機１８の下降運転を指示する。昇降用電動機１８の下降運転で、洗浄槽が上昇停止位置から下降停止位置へ下降させて引き出しを可能とする。
【００５５】
これにより、洗浄槽２の引き出しは、洗浄槽２の内部の温度が低下してから行なわれるので、安全性の高い食器洗い乾燥機を提供することができる。
【００５６】
本発明の第２実施例について、図７、図８を引用して説明する。
【００５７】
第２実施例は、外枠１の奥側に収納されている場合を除いて洗浄槽２を常に降下した状態に保つようにしたところが特徴である。
【００５８】
先に述べた第１実施例と共通するところは共通の符号を付して出来るだけ、重複説明を省略する。
【００５９】
第２実施例は、前記摺動ラック体１７を後側に引く引きバネ３４（付勢手段）と、突起部３５を有し、第１実施例に備わっていた昇降用電動機１８、ウォームギア１９、ウォームホイール２１、ピニオン２２、支持回転軸２５が除かれた構成を有している。
【００６０】
引く引きバネ３４の他端は、基台枠３に取り付けられている。突起部３５は外枠１の奥側内面で、摺動ラック体１７が移動して来る位置に設けられている。
【００６１】
摺動ラック体１７は引きバネ３４により常に後側に引かれている。昇降用カム体２４は、山部２７が横に来る状態に保たれる。このため、洗浄槽２は外枠１の奥側に収納されている場合を除いて降下した状態に保たれる。
【００６２】
洗浄槽２が外枠１の奥側に収納されると、摺動ラック体１７の後端が突起部３５に当たって、引きバネ３４に抗して摺動ラック体１７は前側に移動する。山部２７が立つように昇降用カム体２４は回動する。この昇降用カム体２４の回動により、洗浄槽２は上昇して内蓋７による洗浄槽２の開口５の閉鎖が行なわれる。
【００６３】
第２実施例は、昇降用電動機１８、ウォームギア１９、ウォームホイール２１、ピニオン２２、支持回転軸２５が不要なので、第１実施例よりも構成が簡単で安価になる。
【００６４】
本発明の第３実施例について、図９、図１０を引用して説明する。
【００６５】
第３実施例は、昇降手段としてリンク機構を用いたところが特徴である。
【００６６】
先に述べた第１実施例と共通するところは共通の符号を付して出来るだけ、重複説明を省略する。
【００６７】
昇降手段は、交差点で回動自在に連結される二本（複数）のリンクアーム３６、３７により構成されるリンク機構と、リンク機構にネジ連結され、回転によってリンク機構を上下作動させる回転軸３８と、回転軸３８を回す昇降用電動機１８とを有する。
【００６８】
二本（複数）のリンクアーム３６、３７が回動自在に連結される交差点は、支持中軸３９に支持される。
【００６９】
リンクアーム３６の上端は、上側支持台板４０に設けた摺動溝４１にローラ４２を介して連結される。別のリンクアーム３７の下端は、下側支持台板４３に設けた摺動溝４４にローラ４５を介して連結される。
【００７０】
ローラ４２は、上側ローラ支持軸４６に支持される。ローラ４５は、下側ローラ支持軸４７に支持される。
【００７１】
リンクアーム３６の下端は、下側支持台板４３に下支持軸４８をもって回転自在に支持する。リンクアーム３７の上端は、上側支持台板４０に上支持軸４９をもって回転自在に支持する。
【００７２】
下側支持台板４３は、基台枠３に固定支持する。上側支持台板４０には、洗浄槽２を載置固定する。
【００７３】
前記回転軸３８は、基台枠３に設けた軸受部材５０に回転自在に支持する。この回転軸３８は、外周に雄ネジが形成されている。回転軸３８と下側ローラ支持軸４７は、ネジ連結される。
【００７４】
このため、回転軸３８の回転により、下側ローラ支持軸４７は図９の矢印に示すように前後に移動する。この下支持軸４８の前後に移動にともなって、図１０の矢印に示すように上側支持台板４０が上下動するので、洗浄槽２の上げ下げが行われるのである。
【００７５】
昇降用電動機１８は、大・小プーリやベルトを組み合わせて構成した減速装置５１を介して回転軸３８に連結される。減速した回転力により、洗浄槽２の上げ下げが行われるので昇降用電動機１８を小型化できる。
【００７６】
昇降手段としてリンク機構を用いることにより、洗浄槽２の上げ下げ高さを大きくすることができる。
【図面の簡単な説明】
【００７７】
【図１】本発明の第１実施例に係わるもので、正面から食器洗浄機の内部を見た図。
【図２】本発明の第１実施例に係わるもので、側面から食器洗浄機の内部を見た洗浄槽が引き出された状態を示す図。
【図３】本発明の第１実施例に係わるもので、側面から食器洗浄機の内部を見た洗浄槽が水密される前の状態を示す図。
【図４】本発明の第１実施例に係わるもので、側面から食器洗浄機の内部を見た洗浄槽が水密された状態を示す図。
【図５】本発明の第１実施例に係わるもので、基台枠に設けられている昇降手段を示す図。
【図６】本発明の第１実施例に係わるもので、水密シールの関連構成を示す拡大断面図。
【図７】本発明の第２実施例に係わるもので、第１実施例の図２に相当する図。
【図８】本発明の第２実施例に係わるもので、第１実施例の図４に相当する図。
【図９】本発明の第３実施例に係わるもので、第１実施例の図５に相当する図。
【図１０】本発明の第３実施例に係わるもので、第１実施例の図４に相当する図。
【図１１】従来例に係わるもので、水密シールの関連構成を示す拡大断面図。
【図１２】従来例に係わるもので、水密シールの関連構成を示す平面図。
【符号の説明】
【００７８】
１…外枠、３…基台枠、５…開口、２…洗浄槽、７…内蓋、１７…摺動ラック体、１８…昇降用電動機、１９…ウォームギア、２０…支持部材、２１…ウォームホイール、
２２…ピニオン、２３…駆動歯車、２４…昇降用カム体。
【図１】
2006305078.tif 000003
【図２】
2006305078.tif 000004
【図３】
2006305078.tif 000005
【図４】
2006305078.tif 000006
【図５】
2006305078.tif 000007
【図６】
2006305078.tif 000008
【図７】
2006305078.tif 000009
【図８】
2006305078.tif 000010
【図９】
2006305078.tif 000011
【図１０】
2006305078.tif 000012
【図１１】
2006305078.tif 000013
【図１２】
2006305078.tif 000014